(57)【要約】【課題】ステータ分割コア型回転機のフレーム内部でステータ分割コアを締結するボルトの緩みを確認する。【解決手段】締結用ボルト（ヨーク締結用ボルト２１及びティース締結用ボルト２２）の頭部側の開口部に配設されるブラケット１５には、緩み確認用ボルト２４を挿入可能な貫通穴（緩み確認用ボルト貫通穴２３）が、締結用ボルトに対応する位置に配設され、頭部がブラケット１５の外側に突出した状態で貫通穴に貫通し、ネジ部が締結用ボルトの頭部に嵌合する緩み確認用ボルト２４を備えることで、ステータ分割コア型回転機のフレーム内部でステータ分割コア（ヨーク１２及びティース１３）を締結するボルトの緩みを確認することができる。【選択図】図１
2015080357.tif 000002
【特許請求の範囲】
【請求項１】
両端に開口部を有する筒状のフレームと、前記開口部にそれぞれ配設されるブラケットと、前記回転機の軸方向に平行な締結用ボルトによって前記フレームの内側に締結されるステータ分割コアとを備えるステータ分割コア型回転機であって、
前記ブラケットのうち、前記締結用ボルトの頭部側の前記開口部に配設される前記ブラケットには、緩み確認用ボルトを挿入可能な貫通穴が、前記締結用ボルトに対応する位置に配設され、
頭部が前記ブラケットの外側に突出した状態で前記貫通穴に貫通し、ネジ部が前記締結用ボルトの頭部に嵌合する前記緩み確認用ボルトを備える
ことを特徴とするステータ分割コア型回転機。
【請求項２】
前記緩み確認用ボルトの前記ネジ部は、前記締結用ボルトの前記頭部に嵌脱自在、かつ、前記貫通穴に挿脱自在であることを特徴とする請求項１に記載のステータ分割コア型回転機。
【発明の詳細な説明】
【技術分野】
【０００１】
本発明は、分割したステータコアをボルト締めにて固定した、ステータ分割コア型回転機に関する。
【背景技術】
【０００２】
まず、従来のステータ分割コア型回転機について、図４，５を用いて説明する。図４は、従来のステータ分割コア型回転機の斜視図である。図５は、従来のステータ分割コア型回転機の内部の概略図であり、（ａ）は、正面図であり、（ｂ）は、（ａ）におけるＡ‐Ａ矢視図である。
【０００３】
図４に示すように、従来のステータ分割コア型回転機は、フレーム１１、ロータ１４、ブラケット２５及びステータ分割コア（ステータ分割コアについては図４では図示せず）を備えている。
【０００４】
上記フレーム１１は、両端に開口部を有する筒状のものであり、内側にステータ分割コアが配設されている。また、ステータ分割コアの内径側に空隙を介して円筒状のロータ１４が配設され、このロータ１４の断面中心には負荷に回転力を伝達するための回転軸Ａを備えている。さらに、図５（ａ）に示すように、フレーム１１の（両端の）開口端面にはブラケット締結用ボルト穴１７が複数配設されている。
【０００５】
上記ブラケット２５は、上記開口部に対応した形状の板であり、ブラケット締結用ボルト貫通穴１８がそれぞれブラケット締結用ボルト穴１７に対応した位置に配設されている。
【０００６】
また、ブラケット２５は、複数のブラケット締結用ボルト１９によって各ブラケット締結用ボルト貫通穴１８と各ブラケット締結用ボルト穴１７とがそれぞれ固定されることで、フレーム１１に締結される。なお、ブラケット２５は、フレーム１１に締結された際に、回転軸Ａがフレーム１１の開口端面から突出した部分を外部に貫通させるための回転軸用貫通穴１６をも備えている。
【０００７】
上記ステータ分割コアは、軸方向に平行な締結用ボルトによってフレーム１１の内側に締結されている。すなわち、ステータ分割コアは、図５（ａ）に示す、ヨーク１２及び複数のティース１３で構成されており、ヨーク１２は、フレーム１１の内側に配設されており、ティース１３は、ヨーク１２からロータ１４に向けて突出するように、フレーム１１の内側に配設されている。そして、ヨーク１２とティース１３とは、それぞれ軸方向に平行なヨーク締結用ボルト２１とティース締結用ボルト２２とにより、フレーム１１に締結されている。
【０００８】
なお、図５（ｂ）に示すように、フレーム１１の一方の開口端面にはヨーク１２とティース１３を挿入し、他方の開口端面は開口部の内径が小さいステータ締結部１１ｂを備え、ヨーク締結用ボルト２１は、ヨーク１２を軸方向に貫通し、突出した先端部がステータ締結部１１ｂに挿入されることで、ヨーク１２をフレーム１１に締結している。なお、図示していないが、ティース締結用ボルト２２も同様にティース１３を貫通し、突出した先端部がステータ締結部１１ｂに挿入されることでティース１３をフレーム１１に締結している。
【先行技術文献】
【特許文献】
【０００９】
【特許文献１】特開２００７‐１８９７８５号公報
【特許文献２】特開２００８‐５５８０号公報
【発明の概要】
【発明が解決しようとする課題】
【００１０】
上述のような構成のステータ分割コア型回転機では、ステータ分割コアをフレーム１１に締結するボルト２１，２２の頭部が、フレーム１１及びブラケット２５の内部に位置している。
【００１１】
そのため、図４のように、ステータ分割コア型回転機を組み立てた後に、安全確認のため、ボルト２１，２２の緩みを確認する、あるいは締め直す際は、ブラケット２５及びその周辺の構成部品を取り外さなければならない。特に、ステータ分割コア型回転機がＰＭモータである場合は、ロータ１４に永久磁石を備えているため、ブラケット２５の付け外し作業が難しいといった問題点がある。
【００１２】
例えば、上記特許文献１では、ステータ分割コアのバックヨークと挟持片を圧接するためにボルトを用いる技術が開示されているが、当該技術においても、組み立て後にボルトの緩みを確認する、あるいは締め直すためにはブラケット及びその周辺の構成部品を取り外す必要がある。さらに、運転中にボルトの緩みを確認する、あるいは締め直すことができないといった問題点がある。
【００１３】
また、上記特許文献２では、ステータ分割コア端面を環状部材で押し付け、この環状部材をボルトによってフレームに固定し、当該ボルトはフレームの外周面側から挿入される構造とする技術が開示されている。当該技術では、ボルトの頭部がフレームの外側に出ているため、構成部品を取り外すことなく、ボルトの緩みを確認する、あるいは締め直すことはできる。しかしながら、ステータ分割コアを押し付けている環状部材が半径方向からボルトを固定しているため、ボルトには、締め付け方向（ボルトの軸方向）に対して垂直方向（ボルトの径方向）の反力が発生し、締め付け方向（ボルトの軸方向）と異なる方向から力が加わるため、ボルトの耐強度を高めなければならない。そして、ボルトの耐強度を高めるためには、予め耐強度の高い高価な材料を選択する、又は、ボルトを大きくすることで耐強度を高める必要があり、コストの増加や設計の制限が発生してしまう問題がある。
【００１４】
そこで、本発明では、ボルトの耐強度を高める必要なく、また、ブラケットなどの構成部品を取り外すことなく、ステータ分割コア型回転機の内部でステータ分割コアを締結するボルトの緩みを確認する、あるいは締め直すことを可能とするステータ分割コア型回転機を提供することを目的とする。
【課題を解決するための手段】
【００１５】
上記課題を解決する第１の発明に係るステータ分割コア型回転機は、
両端に開口部を有する筒状のフレームと、前記開口部にそれぞれ配設されるブラケットと、前記回転機の軸方向に平行な締結用ボルトによって前記フレームの内側に締結されるステータ分割コアとを備えるステータ分割コア型回転機であって、
前記ブラケットのうち、前記締結用ボルトの頭部側の前記開口部に配設される前記ブラケットには、緩み確認用ボルトを挿入可能な貫通穴が、前記締結用ボルトに対応する位置に配設され、
頭部が前記ブラケットの外側に突出した状態で前記貫通穴に貫通し、ネジ部が前記締結用ボルトの頭部に嵌合する前記緩み確認用ボルトを備える
ことを特徴とする。
【００１６】
上記課題を解決する第２の発明に係るステータ分割コア型回転機は、
上記第１の発明に係るステータ分割コア型回転機において、
前記緩み確認用ボルトの前記ネジ部は、前記締結用ボルトの前記頭部に嵌脱自在、かつ、前記貫通穴に挿脱自在であることを特徴とする。
【発明の効果】
【００１７】
本発明に係るステータ分割コア型回転機によれば、ボルトの耐強度を高める必要なく、また、ブラケットなどの構成部品を取り外すことなく、ステータ分割コア型回転機の内部でステータ分割コアを締結するボルトの緩みを確認する、あるいは締め直すことを可能とする。
【図面の簡単な説明】
【００１８】
【図１】本発明の実施例１に係るステータ分割コア型回転機の緩み確認用ボルト及びブラケットを外した状態の斜視図である。
【図２】本発明の実施例１における緩み確認用ボルト貫通穴の配置を説明する概略図である。（ａ）は、ブラケットの正面図であり、（ｂ）は、本発明の実施例１に係るステータ分割コア型回転機の内部の正面図である。
【図３】本発明の実施例１に係るステータ分割コア型回転機の緩み確認用ボルト及びブラケットを取り付けた状態の斜視図である。（ａ）は、ブラケットを表示した図であり、（ｂ）は、ブラケットを表示していない図である。
【図４】従来のステータ分割コア型回転機の斜視図である。
【図５】従来のステータ分割コア型回転機の内部の概略図である。（ａ）は、正面図であり、（ｂ）は、（ａ）におけるＡ‐Ａ矢視図である。
【発明を実施するための形態】
【００１９】
以下、本発明に係るステータ分割コア型回転機を、実施例により図面を用いて説明する。
【００２０】
［実施例１］
本発明の実施例１に係るステータ分割コア型回転機について、まず、図１〜３を用いて説明する。図１は、本発明の実施例１に係るステータ分割コア型回転機の緩み確認用ボルト及びブラケットを外した状態の斜視図である。また、図２は、本発明の実施例１における緩み確認用ボルト貫通穴の配置を説明する概略図であり、図２（ａ）は、ブラケットの正面図であり、図２（ｂ）は、本発明の実施例１に係るステータ分割コア型回転機の内部の正面図である。さらに、図３は、本発明の実施例１に係るステータ分割コア型回転機の緩み確認用ボルト及びブラケットを取り付けた状態の斜視図であり、図３（ａ）は、ブラケットを表示した図であり、図３（ｂ）は、ブラケットを表示していない図である。
【００２１】
図１に示すように、本発明の実施例１に係るステータ分割コア型回転機は、フレーム１１、ロータ１４、回転軸Ａ、ブラケット１５，２５、緩み確認用ボルト２４及びステータ分割コアを備える。なお、以下では、従来技術と重複する構成の説明については簡略化し、従来技術と異なる構成を中心に説明する。
【００２２】
上記フレーム１１は、従来技術と同様、一方の開口端面からヨーク１２とティース１３を挿入し、他方の開口端面は開口部の内径が小さいステータ締結部１１ｂを備え、両端に開口部を有する筒状のものである。
【００２３】
上記ステータ分割コアは、従来技術と同様、回転機の軸方向に平行な締結用ボルトによってフレーム１１の内側に締結されている。すなわち、ステータ分割コアは、ヨーク１２及び複数のティース１３で構成され、ヨーク１２と複数のティース１３とは、それぞれ軸方向に平行なヨーク締結用ボルト２１とティース締結用ボルト２２とにより、フレーム１１のステータ締結部１１ｂに締結されている。
【００２４】
そして、ヨーク締結用ボルト２１及びティース締結用ボルト２２のそれぞれの頭部上面には、六角穴が配設されている。
【００２５】
上記ブラケット２５は、ヨーク締結用ボルト２１及びティース締結用ボルト２２のネジ部側の上記開口部に締結されており、従来技術のブラケット２５と同様、上記開口部に対応した形状の板である。
【００２６】
上記ブラケット１５は、ヨーク締結用ボルト２１及びティース締結用ボルト２２の頭部側の上記開口部に締結されており、ブラケット２５の形状に加え、さらに、緩み確認用ボルト２４を挿入可能な緩み確認用ボルト貫通穴２３が配設されている。
【００２７】
また、緩み確認用ボルト貫通穴２３は、図２の（ａ）と（ｂ）とを比較すればわかるように、ブラケット１５上の、ヨーク締結用ボルト２１及びティース締結用ボルト２２のそれぞれに対応する位置に、放射状に複数配設されている。
【００２８】
上記緩み確認用ボルト２４は、ブラケット１５がフレーム１１に締結された状態において、頭部がブラケット１５の外側に突出した状態で緩み確認用ボルト貫通穴２３に貫通し、ネジ部がヨーク締結用ボルト２１及びティース締結用ボルト２２の上記六角穴に嵌合するものである。ここでは図１，３中に示すように、緩み確認用ボルト２４が上記六角穴の個数（すなわち、緩み確認用ボルト貫通穴２３の個数）と同数としている。
【００２９】
上述の構成により、図３（ａ）（ｂ）に示すように、ブラケット締結用ボルト１９により、ブラケット１５がフレーム１１に締結されている状態であっても、緩み確認用ボルト２４が、緩み確認用ボルト貫通穴２３に貫通し、各ヨーク締結用ボルト２１及びティース締結用ボルト２２の上記六角穴に嵌合することで、ヨーク締結用ボルト２１及びティース締結用ボルト２２の緩み状態を、ブラケット１５の外部に頭部が突出している緩み確認用ボルト２４を回すことによって確認する、あるいは締め直すことができる。
【００３０】
なお、緩み確認用ボルト２４は、その個数を１個とし、上記六角穴に嵌脱自在、かつ、緩み確認用ボルト貫通穴２３に挿脱自在であるものとし、ヨーク締結用ボルト２１及びティース締結用ボルト２２の緩み状態の確認の際には、緩み確認用ボルト２４を、緩み確認用ボルト貫通穴２３に貫通させ、各ヨーク締結用ボルト２１及びティース締結用ボルト２２の上記六角穴に嵌合させ、緩み確認用ボルト２４を回すことによって上述のように確認あるいは締め直し、ステータ分割コア型回転機の運転の際には、緩み確認用ボルト２４を取り外すようにしてもよい。
【００３１】
また、上述では、ヨーク締結用ボルト２１及びティース締結用ボルト２２のそれぞれの頭部上面には、六角穴が配設されているとしたが、本実施例はこれに限定されるものではなく、ヨーク締結用ボルト２１及びティース締結用ボルト２２と緩み確認用ボルト２４のネジ部とが嵌合できる構造であればよい。
【００３２】
以上、本発明の実施例１に係るステータ分割コア型回転機について説明したが、換言すれば、本発明の実施例１に係るステータ分割コア型回転機は、両端に開口部を有するフレーム１１と、開口部にそれぞれ配設されるブラケット１５，２５と、軸方向に平行な締結用ボルト（ヨーク締結用ボルト２１及びティース締結用ボルト２２）によってフレーム１１の内側に締結されるステータ分割コア（ヨーク１２及びティース１３）とを備えるステータ分割コア型回転機であって、締結用ボルトの頭部側の開口部に配設されるブラケット１５には、緩み確認用ボルト２４を挿入可能な貫通穴（緩み確認用ボルト貫通穴２３）が、締結用ボルトに対応する位置に配設され、頭部がブラケット１５の外側に突出した状態で貫通穴に貫通し、ネジ部が締結用ボルトの頭部に嵌合する緩み確認用ボルト２４を備えるものである。また、緩み確認用ボルト２４のネジ部は、締結用ボルトの頭部に嵌脱自在、かつ、貫通穴に挿脱自在であるようにしてもよい。
【００３３】
このようにして、本発明の実施例１に係るステータ分割コア型回転機では、ブラケットなどの構成部品を取り外すことなく、ステータ分割コア型回転機のフレーム内部でステータ分割コアを締結するボルトの緩みを確認する、あるいは締め直すことができる。
【００３４】
また、締結用ボルトには、軸方向の締付力のみが加わるため、ボルトの耐強度については締付力のみを考慮すればよい。よって、耐強度の高い高価な材料（高強度材料）を選択したり、ボルトを大きくしたりすることで、ボルトの耐強度を高める必要が生じなくなる。
【産業上の利用可能性】
【００３５】
本発明は、ステータ分割コア型回転機として好適である。
【符号の説明】
【００３６】
１１  フレーム
１１ｂ  ステータ締結部
１２  ヨーク
１３  ティース
１４  ロータ
１５，２５  ブラケット
１６  ロータ用貫通穴
１７  ブラケット締結用ボルト穴
１８  ブラケット締結用ボルト貫通穴
１９  ブラケット締結用ボルト
２１  ヨーク締結用ボルト
２２  ティース締結用ボルト
２３  緩み確認用ボルト貫通穴
２４  緩み確認用ボルト
Ａ    回転軸
【図１】
2015080357.tif 000003
【図２】
2015080357.tif 000004
【図３】
2015080357.tif 000005
【図４】
2015080357.tif 000006
【図５】
2015080357.tif 000007